(57)【要約】【課題】サイズの異なるバッテリを使い分けて使用することができる撮像装置を提供すること。【解決手段】本発明にかかる撮像装置は、２方向が開放したバッテリ収納部５０を有する本体部５と、バッテリ収納部５０の開放した第１の面を覆うように開閉可能に設けられた底面カバー５５と、バッテリ収納部５０の開放した第２の面を覆うように、脱着可能に設けられたバッテリカバー１４と、本体部５の第２の面と反対側の面に開閉可能に設けられたモニタ部３とを備えている。バッテリ収納部５０は、バッテリカバー１４が取り外された状態で、バッテリ収納部５０よりも容積の大きい第１のバッテリ１３を収納し、バッテリカバー１４が取り外され、かつ底面カバー５５が閉じた状態で、第２の面側から第１のバッテリ１３よりも容積の小さい第２のバッテリ１２を収納するものである。【選択図】図４
2013114121.tif 000002
【特許請求の範囲】
【請求項１】
２面が開放したバッテリ収納部を有する本体部と、
前記バッテリ収納部の開放した第１の面を覆うように、開閉可能に設けられた第１のカバーと、
前記バッテリ収納部の開放した第２の面を覆うように、脱着可能に設けられた第２のカバーと、
前記本体部の前記第２の面と反対側の面に開閉可能に設けられたモニタ部と、を備え、
前記バッテリ収納部は、前記第２のカバーが取外された状態で、前記バッテリ収納部より容積が大きい第１のバッテリを収納し、
前記第２のカバーが取外され、かつ前記第１のカバーが閉じた状態で、前記第２の面側から前記第１のバッテリよりも容積の小さい第２のバッテリを収納する
ことを特徴とする撮像装置。
【請求項２】
前記第１のカバーには、前記第２の面側に切欠部が設けられ、
前記第２のカバーには、前記切欠部を覆う突出部が設けられている請求項１に記載の撮像装置。
【請求項３】
前記バッテリ収納部の前記第１の面と反対側の面に凸部が設けられ、
前記凸部に対応する凹部が設けられた前記第１のバッテリ、及び第２のバッテリのそれぞれが、前記凸部が前記凹部に挿入されることで係止されることを特徴とする請求項１、又は２に記載の撮像装置。
【請求項４】
前記バッテリ収納部の前記第１の面と反対側の面に係止ツメが設けられ、
前記係止ツメが前記第１のバッテリの係止凹部に係合されることで、前記第１のバッテリが係止されることを特徴とする請求項１〜３のいずれか１項に記載の撮像装置。
【請求項５】
前記第１のカバー側に突出した突出部を前記第１のバッテリに設けることで、前記第１のバッテリが係止されることを特徴とする請求項１〜４のいずれか１項に記載の撮像装置。
【請求項６】
前記第１の面が、前記撮像装置の下面に配置され、
前記第２の面が、ユーザが前記撮像装置を把持する側の側面となっていることを特徴とする請求項１〜５のいずれか１項に記載の撮像装置。
【発明の詳細な説明】
【技術分野】
【０００１】
本発明は、撮像装置に関するものであり、特に詳しくは、バッテリが着脱可能な撮像装置に関するものである。
【背景技術】
【０００２】
デジタルカメラなどの撮像装置は、通常バッテリで動作している。従って、撮像装置には、バッテリを収納するためのバッテリ収納部が設けられる。また、撮像装置においては、撮像素子で撮像した画像を表示するための表示部（モニタ部）が設けられている。バッテリと表示部とを有する撮像装置が特許文献１、２に開示されている。特許文献１、２の撮像装置では、開閉可能な表示部を開けた状態で、バッテリが脱着可能になる。特許文献１、２の撮像装置では、表示部がバッテリを覆うためカバーとなるため、意匠性を高めることができる。すなわち、表示部の裏面側が外側に露出し、バッテリが露出しない構成となるため、意匠性を高めることができる。
【先行技術文献】
【特許文献】
【０００３】
【特許文献１】特開２００６−３５２６３７号公報
【特許文献２】特開２００５−３９３４１号公報
【発明の概要】
【発明が解決しようとする課題】
【０００４】
また、このような撮像装置において、より高容量のバッテリを搭載することで、動作時間を長くすることができる。このような高容量バッテリは、通常のバッテリ（低容量バッテリ）に比べて、サイズが大きくなる。しかしながら、サイズの異なるバッテリを用意したとしても、意匠性を高めるためのバッテリカバーを取り付けることができなくなってしまう。例えば、バッテリ収納部から高容量のバッテリがはみ出すことになるため、特許文献１、２の撮像装置では、高容量バッテリを取り付けた状態で、表示部を閉じることができなくなってしまう。従って、高容量のバッテリを用いた場合、表示部をカバーとして利用できずに、バッテリが露出した状態のままとなってしまう。さらに、高容量のバッテリは、低容量のバッテリよりも重くなっているため、ユーザが撮像装置を持った場合の重量バランスが変わってしまう。そのため、ユーザが撮像装置を持って操作する時の操作性が悪くなってしまうおそれがある。
【０００５】
本発明は、上記の課題に鑑みてなされたものであり、バッテリカバーを有する撮像装置であっても、サイズの異なるバッテリを使い分けて使用することができる撮像装置を提供することを目的とする
【課題を解決するための手段】
【０００６】
本発明の一態様に係る撮像装置（１００）は、撮像部と、２面が開放したバッテリ収納部（５０）と、を有する本体部と、前記バッテリ収納部（５０）の開放した第１の面を覆うように開閉可能に設けられた第１のカバー（底面カバー５５）と、前記バッテリ収納部（５０）の開放した第２の面を覆うように、脱着可能に設けられた第２のカバー（バッテリカバー１４）と、前記本体部の前記第２の面と反対側の面に開閉可能に設けられたモニタ部（３）と、を備え、前記バッテリ収納部（５０）は、前記第２のカバー（バッテリカバー１４）が取り外された状態で、前記バッテリ収納部よりも容積の大きい第１のバッテリ（１３）を収納し、前記第２のカバー（バッテリカバー１４）が取り外され、かつ前記第１のカバー（底面カバー５５）が閉じた状態で、前記第２の面側から前記第１のバッテリ１３よりも容積の小さい第２のバッテリ（１２）を収納するものである。このようにすることで、バッテリカバーを有する撮像装置においても、バッテリ収納部からはみ出す第１のバッテリを取り付けることができ、サイズの異なるバッテリを使い分けることができる。
上記の撮像装置において、前記第１のカバー（底面カバー５５）には、前記第２の面側に切欠部（５５ｂ）が設けられ、前記第２のカバー（バッテリカバー１４）には、前記切欠部（５５ｂ）を覆う突出部（４５）が設けられてもよい。これにより、第２のバッテリを容易に装着することが可能になる。
上記の撮像装置において、前記バッテリ収納部（５０）の前記第１の面と反対側の面に凸部（５８）が設けられ、前記凸部（５８）に対応する凹部（係止凹部２８、凹部３８）が設けられた前記第１のバッテリ（１３）、及び第２のバッテリ（１２）のそれぞれが、前記凸部（５８）が前記凹部（係止凹部２８、凹部３８）に挿入されることで係止されていてもよい。このようにすることで、第１及び第２のバッテリを容易に装着することができる。
上記の撮像装置において、前記バッテリ収納部（５０）の前記第１の面と反対側の面に係止ツメ（係止片５３）が設けられ、前記係止ツメ（係止片５３）が前記第１のバッテリ（１３）の係止凹部（凹部３３）に嵌合されることで、前記第１のバッテリ（１３）が係止されていてもよい。
上記の撮像装置において、前記第１のカバー（底面カバー５５）側に突出した突出部（凸部３５）を前記第１のバッテリ（１３）に設けることで、前記第１のバッテリ（１３）が係止されていてもよい。これにより、第１のバッテリを確実に装着することできる。
上記の撮像装置において、前記第１の面が、前記撮像装置の下面に配置され、前記第２の面が、ユーザが前記撮像装置を把持する側の側面となっていてもよい。このようにすることで、操作性を向上することができる。
【発明の効果】
【０００７】
以上のように、本発明によれば、バッテリカバーを有する撮像装置であっても、サイズの異なるバッテリを使い分けて使用することができる撮像装置を提供することができる。
【図面の簡単な説明】
【０００８】
【図１】バッテリカバーを取り付けた状態の撮像装置を、バッテリ側の側面上方から見た斜視図である。
【図２】バッテリカバーを外して、高容量バッテリを取り付けた状態の撮像装置を、バッテリ側の側面上方から見た斜視図である。
【図３】撮像装置をモニタ部側の側面下方からみた斜視図である。
【図４】撮像装置に設けられたバッテリ収納部の構成を示す斜視図である。
【図５】低容量のバッテリの構成を示す斜視図である。
【図６】低容量のバッテリを取り付けた時に用いられるバッテリカバーを示す斜視図である。
【図７】高容量のバッテリの構成を示す斜視図である。
【発明を実施するための形態】
【０００９】
以下、図面を参照して本発明の実施の形態について説明する。図１、図２、及び図３は、本実施の形態に係る撮像装置１００の全体的な構成を示す斜視図である。図１、及び図２は、撮像装置１００を左前方から見た斜視図であり、図３は、撮像装置１００を右前方から見た斜視図である。図１では、低容量で薄型のバッテリが装着された状態を示しており、図２では、高容量で厚型のバッテリ１３が装着された状態を示している。図３は、モニタ部３が開いており、バッテリが装着されていない状態を示している。以下の説明では、説明の明確化のため、図に示すようなｘｙｚ直交座標系を用いて、説明を行う。
【００１０】
ここでは、ｘ軸が、撮像装置１００の前後方向を示し、ｙ軸が撮像装置１００の上下方向（鉛直方向）を示し、ｚ軸が撮像装置１００の左右方向（横方向）を示している。すなわち、ｘ方向が、撮像装置１００に設けられたレンズの光軸に平行な方向であり、ｙ方向、及びｚ方向が撮像装置１００に設けられたレンズの光軸と垂直な方向である。さらに、撮像装置１００を把持するユーザを基準に方向を特定する。すなわち、＋ｘ側が後方側、−ｘ側が前方側、＋ｙ側が上方側、−ｙ側が下方側、＋ｚ側が左側、−ｚ側が右側とする。もちろん、上記の方向は、相対的なものであり、撮像装置１００の向きに応じて変化する。
【００１１】
（全体構成）
図１〜図３に示すように、撮像装置１００は、本体部５と、モニタ部３と、レンズ６と、レンズバリア１０と、操作部１８とを有している。後述するように、撮像装置１００では、薄型のバッテリと高容量の厚型のバッテリが排他的に使用される。
【００１２】
本体部５は、略直方体形状を有しており、レンズ６を有するレンズ鏡筒、撮像素子、制御回路、及びメモリなどが内蔵されている。そして、本体部５の前面には、レンズ６を覆うレンズバリア１０が設けられている。このレンズバリア１０が開くことで、レンズ６が露出して、撮像可能な状態となる。さらに、本体部５の右側面の前方側には、レンズバリア１０の開閉を切り替えるためのレバー１７が設けられている。本体部５の上面には、操作ボタンなどを有する操作部１８が設けられている。操作部１８は、録画開始ボタン、録画終了ボタン等を備えている。ユーザが、操作部１８を操作することで、被写体を撮像することができる。
【００１３】
図３に示すように、本体部５の左側面には、モニタ部３が設けられている。モニタ部３は、本体部５に対して、ヒンジ４を介して接続されている。ヒンジ４によって、モニタ部３が本体部５に開閉可能に取り付けられている。モニタ部３は、被写体、記憶された画像データ、設定情報、その他の情報を表示する液晶ディスプレイなどを有している。なお、モニタ部３を開いた状態では、モニタ部３のモニタは、後方側、すなわちユーザ側を向いて配置されている。タッチパネル機能を備える場合には、モニタ部３のディスプレイが操作部の一部となる。
【００１４】
レンズ６は、外部の光を撮像装置１００内の撮像素子に導くものである。また、本体部５には、撮像素子、制御回路等が配置されている。撮像装置１００は、レンズ６を通して伝播してきた光を受光して、被写体を撮像する。さらに、本体部５のモニタ部３が設けられた左側面と対向する右側面には、バッテリ収納部５０が設けられている。バッテリ収納部５０には、低容量のバッテリ１２（図５を合わせて参照）と、高容量のバッテリ１３が排他的に取り付けられる。バッテリ１２、１３は、本体部５に対して脱着可能に設けられ、撮像装置１００のモニタ部３や撮像素子に電源を供給する
【００１５】
さらに、薄型のバッテリ１２の装着時に、バッテリカバー１４が本体部５に装着されている（図１参照）。バッテリカバー１４によって、バッテリ１２が覆われた状態となるため、意匠性を高めることができる。例えば、バッテリカバー１４に、ロゴ、模様などをデザインしてもよい。厚型のバッテリ１３を用いる場合、図２に示すように、バッテリカバー１４は取り外された状態となり、本体部５の側面からバッテリ１３が露出している。
【００１６】
（バッテリ収納部５０）
本体部５に設けられたバッテリ収納部５０の構成について、図４を用いて、説明する。図４は、バッテリ収納部５０の構成を示す斜視図である。バッテリ収納部５０は、本体部５の後方側、すなわち、レンズバリア１０と反対側に形成される。バッテリ収納部５０は、２方向が開放した直方体状の空間になっている。すなわち、バッテリ収納部５０は、本体部５の内壁によって規定される空間であり、底面側と右側面側が開放した略直方体状になっている。バッテリ収納部５０は、下方向と右方向の２方向が開放した空間となっている。後述するように、バッテリ収納部５０の下側は、底面カバー５５によって覆われ、右側はバッテリカバー１４によって覆われる。ここで、バッテリ収納部５０を規定する内壁を区別するため、＋ｙ側の内壁（底面カバー５５と対向する面）を内壁５ａとし、＋ｘ側の内壁を内壁５ｂとし、−ｘ側の内壁を内壁５ｃとする。
【００１７】
バッテリ収納部５０の底面側には、底面カバー５５が設けられている。底面カバー５５は、バッテリ収納部５０の一つの開放面である底面を覆う。底面カバー５５には、ヒンジ５６と、ロックレバー５９が設けられている。底面カバー５５は、ｚ方向を回転軸とするヒンジ５６を介して、本体部５に取り付けられている。すなわち、底面カバー５５は、本体部５に対して開閉可能に取り付けられている。例えば、ロックレバー５９を−ｘ方向に移動させることで、底面カバー５５を開けることができる。底面カバー５５を開けると、バッテリ収納部５０の底面側が開放される。ロックレバー５９は、バネ等によって、＋ｘ方向に付勢されているため、底面カバー５５が閉じると、底面カバー５５が閉状態でロックされる。また、図示を省略しているが、底面カバー５５を開けることで、メモリカード等を挿し込むスロットが露出する。また、底面カバー５５は、切欠部５５ｂを有している。すなわち、底面カバー５５の−ｚ側の一部を切り欠くことで、切欠部５５ｂが形成される。切欠部５５ｂは、＋ｚ側に切り欠かれており、後述するように、バッテリカバー１４で覆われる。
【００１８】
バッテリ収納部５０の底面カバー５５と反対側には、端子５２が設けられている。端子５２は、後述するバッテリ１２、１３の端子と接触する。端子５２は、バッテリ収納部５０の内壁５ａに配置されている。ここでは、＋端子、−端子、及び温度検出のためのＴ端子の３つの端子５２がバッテリ収納部５０に形成されている。なお、端子５２は、図示しないバネ等によって、−ｙ方向に付勢されている。これにより、端子５２、後述するバッテリ側の端子と確実に接触させることができる。
【００１９】
さらに、バッテリ収納部５０の内壁５ａには、係止片５３、及び凸部５８が形成されている。係止片５３、及び凸部５８は、内壁５ａから底面側に突出するように形成されている。ｘ方向における内壁５ａの両端に凸部５８が形成され、２つの凸部５８の間に係止片５３が形成されている。係止片５３は、内壁５ａから−ｙ方向に突出した庇形状を有している。Ｘ方向における係止片５３の位置は、端子５２とほぼ一致しており、係止片５３は、端子５２よりも−ｚ側に配置されている。凸部５８は、内壁５ａの両角部に形成されている。凸部５８は、内壁５ａの−ｚ側の端部、すなわち、開放側に形成されている。係止片５３は、バッテリ１３と、バッテリカバー１４を係止するために設けられている。凸部５８は、バッテリ１３とバッテリ１２とを係止するために設けられている。図４から分かるように、内壁５ａの開放側の端辺には、＋ｘ側から−ｘ側に向かうにつれて、凸部５８、係止片５３、凸部５８の順に配置されている。
【００２０】
さらに、バッテリ収納部５０には、ガイド溝５７、及び係止溝５４が設けられている。ガイド溝５７及び係止溝５４は、本体部５の後側の内壁５ｂに形成されている。すなわち、内壁５ｂに、バッテリカバー１４のガイド突起４７、又は係止突起４４に対応する窪みを設けることでガイド溝５７、係止溝５４が形成される（図６を合わせて参照）。ガイド溝５７は、バッテリカバー１４を取り付ける際に、バッテリカバー１４のｙ方向の移動をガイドする。ガイド溝５７の端部には、庇状の係止片５７ａが形成されている。換言すると、ｙ方向におけるガイド溝５７の一部が−ｚ側に開放している。これにより、−ｚ側からガイド突起４７を嵌め込むことができるように構成されている。そして、ガイド溝５７に沿ってバッテリカバー１４をスライド移動させると、バッテリカバー１４のガイド突起４７が係止片５７ａに係止され、バッテリカバー１４が−ｚ側に取れなくなる。
【００２１】
また、係止溝５４は、ｙ方向に延設した直線形状を有しており、その途中に係止突起５４ａが形成されている。係止突起５４ａは、バッテリカバー１４の−ｙ方向へのスライドを規制する。例えば、バッテリカバー１４を＋ｙ方向にスライド移動させると、係止突起４４が係止突起５４ａを乗り越える。従って、係止突起４４と係止突起５４ａが係止して、バッテリカバー１４が＋ｙ方向に取れなくなる。なお、図示を省略しているが、ガイド溝５７、係止溝５４は、バッテリ収納部５０の対向する２つの内壁に設けられている。すなわち、ガイド溝５７、及び係止溝５４は、内壁５ｂだけでなく、本体部５の前側の内壁５ｃにも形成されている。
【００２２】
（バッテリ１２）
バッテリ１２の構成について、図５を用いて説明する。バッテリ１２は、薄型の略直方体形状を有しており、対向する２側面がＲ面取りされた形状となっている。そして、＋ｙ側の端面２１ａに端子２２が設けられている。ここでは、＋端子と、−端子と、Ｔ端子の３つが形成され、バッテリ収納部５０に設けられている端子５２と接触して、導通する。これにより、本体部５に内蔵されている各機器に、バッテリ１２からの電源が供給可能になる。さらに、ｘｚ面に沿った端面２１ａにおけるｘ方向の両端には、凹部２８が形成されている。凹部２８が凸部５８に係合することで、バッテリ１２が本体部５に係止される。これにより、バッテリ１２の取り付けが容易になる。
【００２３】
（バッテリカバー１４）
バッテリ１２を覆うバッテリカバー１４の構成について、図６を用いて説明する。バッテリカバー１４は、ｘｙ平面において略矩形状を有している平板上の部材である。さらに、バッテリカバー１４のｘ方向に沿った＋ｙ側の端辺を端辺４２ａとし、ｙ方向に沿った＋ｘ側の端辺を端辺４２ｂとし、ｙ方向に沿った−ｘ側の端辺を端辺４２ｃとし、ｘ方向に沿った−ｙ側の端辺を端辺４２ｄとする。端辺４２ａは、本体部５の内壁５ａに対応し、端辺４２ｂは内壁５ｂに対応し、端辺４２ｃは内壁５ｃに対応し、端辺４２ｄは底面カバー５５に対応するように配置される。
【００２４】
バッテリカバー１４は、突出部４５と、ガイド突起４７と、係止突起４４とを有している。ガイド突起４７と係止突起４４とは、バッテリカバー１４の端辺４２ｃに形成されている。ここでは、２つのガイド突起４７が、バッテリカバー１４の端辺４２ｃに形成されている。さらに、係止突起４４が２つのガイド突起４７の間に形成されている。ガイド突起４７は、ガイド溝５７に対応する位置に形成され、係止突起４４は、係止溝５４に対応する位置に形成されている。
【００２５】
なお、図示はされていないが、ガイド突起４７、及び係止突起４４は、バッテリカバー１４の端辺４２ｃと端辺４２ｂにも形成されている。すなわち、ガイド突起４７は、バッテリカバー１４の端辺４２ｂ、４２ｃにそれぞれ配置されており、合計４つのガイド突起４７がバッテリカバー１４に形成されている。同様に、係止突起４４は、バッテリカバー１４の端辺４２ｂ、４２ｃにそれぞれ配置されており、合計２つの係止突起４４がバッテリカバー１４に形成されている。突出部４５は、端辺４２ｄに形成されており、端辺４２ｄから−ｙ方向に突出した庇形状を有している。突出部４５は、切欠部５５ｂに対応する位置に形成され、切欠部５５ｂを覆う。バッテリカバー１４は、例えば、樹脂材料などによって形成され、ユーザがバッテリカバー１４を取り外すためにバッテリカバー１４を押すと、係止突起４４が弾性変形して、係止が解除されるようになっている。
【００２６】
（バッテリカバー１４の脱着）
バッテリカバー１４を脱着する手順について説明する。バッテリカバー１４を取り付ける場合、底面カバー５５を閉じた状態として、ガイド突起４７とガイド溝５７とを位置合わせする。これにより、ガイド突起４７がガイド溝５７に挿入される。そして、バッテリカバー１４を＋ｙ方向にスライドさせていく。これにより、係止片５７ａがガイド突起４７を係止する。これにより、バッテリカバー１４の−ｚ方向への脱落が防止される。
【００２７】
加えて、係止突起４４が係止溝５４に沿ってスライドする際、係止突起４４が係止溝５４に設けられた係止突起５４ａを乗り越える。よって、バッテリカバー１４の−ｙ方向への脱落が防止される。バッテリカバー１４を取り付けた状態では、突出部４５が、切欠部５５ｂを覆う。
【００２８】
バッテリカバー１４を外す場合、ユーザがバッテリカバー１４に−ｙ方向の力を加える。これにより、係止突起４４が弾性変形して、係止が解除されるようになっている。そして、ガイド溝５７の分だけ、バッテリカバー１４を−ｙ方向にスライドさせる。すると、係止突起４４が係止突起５４ａを乗り越える。そして、バッテリカバー１４を−ｚ方向に取り外す。こうすることで、バッテリカバー１４を本体部５に対して取り外すことができる。なお、底面カバー５５と干渉しないよう、バッテリカバー１４は、底面カバー５５よりも−ｚ側で本体部５にスライド可能になっている。すなわち、底面カバー５５を閉じた状態でバッテリカバー１４を着脱することができる。もちろん、底面カバー５５を開けた状態で、バッテリカバー１４を脱着してもよい。
【００２９】
（バッテリ１２の脱着）
次にバッテリ１２を装着する手順について説明する。バッテリ１２を取り付ける場合、上述したようにバッテリカバー１４を取り外した状態にする、さらに、底面カバー５５を閉じた状態にする。そして、バッテリカバー１４が取り外れた開放面側から、バッテリ１２をバッテリ収納部５０内に移動させていく。このとき、内壁５ａにバッテリ１２の端面２１ａを押し付けるように、バッテリ収納部５０に対してバッテリ１２を斜め方向から移動させる。これにより、バッテリ１２の凹部２８と、バッテリ収納部５０の凸部５８が遊嵌する。そして、凸部５８を支点として、底面カバー５５側に、バッテリ１２を嵌め込む。これにより、バッテリ１２がバッテリ収納部５０内に収納される。そして、バッテリカバー１４を閉じると、バッテリ１２がバッテリ収納部５０に保持される。なお、凹部２８と凸部５８が係止しているため、バッテリカバー１４を開いたとしても、バッテリ１２が−ｚ方向に外れなくなる。なお、端子５２がバッテリ１２を−ｙ方向に付勢しているため、端子５２と端子２２とを確実に接触させることができる。
【００３０】
バッテリ１２を取り外す場合、取り付ける時と反対の手順となる。そのため、まず、バッテリカバー１４を開いた状態とする。そして、ユーザが切欠部５５ｂ側からバッテリ１２を持ち上げると、底面カバー５５側でバッテリ１２がバッテリ収納部５０から浮く。さらに凸部５８と凹部２８の遊嵌を解除するように、バッテリ１２を斜めに移動させる。これにより、側面側からバッテリ１２を取り外すことができる。
【００３１】
このように、薄型のバッテリ１２を使用する際には、底面カバー５５を装着した状態で、バッテリ１２が脱着できるようになっている。従って、バッテリ１２を脱着する際に、底面カバー５５を開閉する必要が無くなる。このため、バッテリ１２の装着を容易に行うことができる。さらに、バッテリ１２がバッテリカバー１４で覆うことができるため、意匠性を高めることができる。また、バッテリカバー１４には、意匠性、デザイン性を高めるためのロゴや模様などを形成してもよい。また、底面カバー５５に切欠部５５ｂを設けているため、バッテリ１２の脱着を容易に行うことができる。
【００３２】
（バッテリ１３）
バッテリ１３の構成について、図７を用いて説明する。バッテリ１３は、略直方体形状を有しており、バッテリ１２に比べて厚くなっている。すなわち、バッテリ１３のｚ方向の大きさが、バッテリ１２よりも大きくなっている。従って、バッテリ１３の一部は、バッテリ収納部５０からはみ出す。バッテリ１３の容積は、バッテリ１２、及びバッテリ収納部５０よりも大きくなっている。
【００３３】
ここで、バッテリ１３のうち、バッテリ収納部５０に収納される部分を基部３１とし、バッテリ収納部５０からはみ出す部分を上部３４とする。すなわち、図２に示すように、バッテリ１３を装着した状態では、上部３４が本体部５からはみ出している。ｘｙ平面における投影面積は、基部３１の方が、上部３４よりも大きくなっている。具体的には、＋ｙ方向と−ｙ方向において、基部３１は、上部３４からはみ出して形成されている。バッテリ１３の両側において、基部３１が上部３４からｙ方向に突出した構成となっている。なお、ｘｙ平面における投影面積が変化する箇所を、基部３１と上部３４の境界３９とする。
【００３４】
基部３１の＋ｙ側の端面３１ａに端子３２が設けられている。バッテリ１３は、バッテリ１２と同様に、＋端子と、−端子と、Ｔ端子の３つの端子３２が形成されており、これらがバッテリ収納部５０に設けられた端子５２と接続される。これによりバッテリ１３からの電源を本体部５内の各機器に供給することができるようになる。
【００３５】
基部３１の両端には、凹部３８が形成されている。凹部３８は、基部３１の端面３１ａの角部に形成されている。凹部３８は、凸部５８に対応する位置に形成されている。従って、バッテリ１３を装着すると、凹部３８と凸部５８とが係合する。これにより、バッテリ１３が本体部５に係止される。また、基部３１と上部３４の境界３９には、凹部３３が形成されている。凹部３３は、上部３４の＋ｙ側の端面３４ａに形成されている。凹部３３は、バッテリ収納部５０の係止片５３に対応する位置に配置されている。バッテリ１３を本体部５に装着すると、係止片５３が凹部３３に挿入する。これにより、バッテリ１３を本体部５に係止することができる。
【００３６】
バッテリ１３の基部３１の−ｙ側の端面３１ｄには、凸部３５が形成されている。ここでは、２つの凸部３５が基部３１の端面３１ｄから−Ｙ方向に突出している。凸部３５は、底面カバー５５のバッテリ収納部５０側の面に設けられた凹部（図示せず）と遊嵌する。これにより、バッテリ１３を本体部５に固定することができる。
【００３７】
（バッテリ１３の脱着）
次に、バッテリ１３を脱着する手順について説明する。バッテリ１３を装着する場合、バッテリカバー１４を取り外し、かつ底面カバー５５を開いた状態にする。そして、バッテリ１３を、バッテリカバー１４が取り外れた開放面側から＋ｚ方向に移動させて、凹部３３に係止片５３が遊嵌する。また、凹部３８が凸部５８と遊嵌する。これにより、バッテリ１３が−ｚ方向に脱落するのを防ぐことができる。そして、底面カバー５５を閉じた状態にする。これにより、凸部３５が底面カバー５５に設けられた凹部（図示せず）に遊嵌する。バッテリ１３が凸部５８、係止片５３と、底面カバー５５とによって、両側から挟み込まれるため、バッテリ１３が脱落するのを防ぐことができる。
【００３８】
バッテリ１３を取り外す場合、ユーザが底面カバー５５を開けて、バッテリ１３を−ｚ方向に移動させる。これにより、凹部３８と凸部５８との係止及び、凸部３５と底面カバー５５の凹部との係止が解除される。さらに、バッテリ１３を−ｚ方向に移動すると、バッテリ１３が取り外される。
【００３９】
このようにすることで、バッテリ１３を容易に脱着することができるようになる。サイズの異なるバッテリ１２、１３を排他的に使用できるようにある。これにより、バッテリカバー１４を有する撮像装置であっても、サイズの異なるバッテリ１２、１３を使い分けて使用することができる。なお、バッテリ１３を使用する際は、バッテリカバー１４を取り付けずに使用する。従って、バッテリカバー１４を有する撮像装置１００においても、バッテリ収納部５０からはみ出すバッテリ１３を取り付けることができる。さらに、バッテリカバー１４が本体部５のモニタ部３が設けられた側面と反対側に配置されている。よって、モニタ部３の視認が妨げられるのを防ぐことができる。
【００４０】
上記の構成によって、厚型のバッテリ１３を装着可能な撮像装置１００においても薄側のバッテリ１２を使用する時には、バッテリカバー１４を使用することができる。これにより、バッテリ１２を使用する時の、意匠性を高くすることができる。さらに、バッテリ１２がバッテリカバー１４でカバーされているため、バッテリ１２の意図せぬ脱落を防ぐことができる。また、バッテリ１３が本体部５に確実に係止することができるため、バッテリ１３の意図せぬ脱落を防ぐことができる。
【００４１】
バッテリ収納部５０がモニタ部３とは反対側の側面に配置されている。そして、バッテリ１３が本体部５の右側面からはみ出すように取り付けられる。すなわち、ユーザが右手で撮像装置１００を把持する場合、撮像装置１００を把持する側の右側面をバッテリカバー１４が覆うようにする。そして、バッテリ１３の使用時には、バッテリカバー１４が取り外され、バッテリ１３が本体部５の右側にはみ出した構成となる（図２参照）。このようにすることで、ユーザが容易に操作できることができる。すなわち、重量の重い高容量のバッテリ１３が本体部５の右側から突出した構成となる。従って、ユーザが右手で、撮像装置１００の底面、及び右側面を支持するように把持したとしても、重心が右側にあるため、ユーザが左右のバランスよく持つことができるようになる。例えば、右手の掌で撮像装置１００の底面を支持し、右手の指で撮像装置１００の右側面を支持する状態となる。このようにすることで、操作性を向上することができる。もちろん、ユーザが左手で撮像装置１００を把持することを想定する場合は、左右反対の構成としてもよい。なお、上記の構成において、係止するための凹凸とは、適宜反対にすることができる。
【符号の説明】
【００４２】
５  本体部
１０  レンズバリア
１２  バッテリ
１３  バッテリ
１４  バッテリカバー
１７  開閉レバー
１８  操作部
２１ａ  端面
２２  端子
２８  係止凹部
３１  基部
３２  端子
３３  凹部
３４  上部
３５凸部
３８  凹部
４４  係止突起
４５  突出部
４７  ガイド突起
５０  バッテリ収納部
５２  端子
５３  係止片
５４  係止溝
５４ａ  係止突起
５５  底面カバー
５５ｂ  切欠部
５６  ヒンジ
５７  ガイド溝
５７ａ  係止片
５８  凸部
５９  ロックレバー
１００  撮像装置
【図１】
2013114121.tif 000003
【図２】
2013114121.tif 000004
【図３】
2013114121.tif 000005
【図４】
2013114121.tif 000006
【図５】
2013114121.tif 000007
【図６】
2013114121.tif 000008
【図７】
2013114121.tif 000009